(57)【要約】【課題】  光軸方向の寸法を小さくでき且つ外観が良好なレンズ駆動装置を提供する。【解決手段】  本発明のレンズ駆動装置１は、コイル１５に通電して生じる電磁力によりレンズ支持体７をフレーム５に対してレンズ２０の光軸方向に移動するレンズ駆動装置１であって、前側スプリング９は内周側端部９ａをレンズ支持体７の前側端部７ｂに固定して且つ外周側端部７ａをフレーム５の前側内周部に固定してあり、コイル１５への通電によりレンズ支持体７が光軸方向前側に最も移動した位置でレンズ支持体７の前側端７ａがフレーム５の前面と略同じか前面よりも後側に位置しており、カバー２４は前側スプリング９を覆っており、前面２４ａをフレーム５の前面５ｃと略面一にして外周部にある接合部２５をフレーム５に接着剤で固定してある。【選択図】      図１
2006323251.tif 000002
【特許請求の範囲】
【請求項１】
マグネット及びヨークが固定されたフレームと、フレームの内周側に配置され且つコイルが固定されたレンズ支持体と、フレームに対してレンズ支持体を光軸方向後側に付勢する前側スプリング及び後側スプリングと、カバーとを備え、コイルに通電して生じる電磁力によりレンズ支持体をフレームに対してレンズの光軸方向に移動するレンズ駆動装置であって、前側スプリングは内周側端部をレンズ支持体の前側端部に固定し外周側端部をフレームの前側内周部に固定してあり、コイルへの通電によりレンズ支持体が光軸方向前側に最も移動した位置でレンズ支持体の前側端がフレームの前面と略同じか前面よりも後側に位置しており、カバーは前側スプリングを覆っており、前面をフレームの前面と略面一にして外周部をフレームに接着剤で固定してあることを特徴とするレンズ駆動装置。
【請求項２】
前側スプリングの表面には導線を接続した導線接続部が設けてあり、カバーには、レンズ支持体の移動と共に前側スプリングが前側に移動したときに導線接続部との抵触を防止する抵触防止孔が形成されていることを特徴とする請求項１に記載のレンズ駆動装置。
【請求項３】
カバーは金属製であり、前面には樹脂製のシール材が貼着されていることを特徴とする請求項２に記載のレンズ駆動装置。
【請求項４】
カバーの外周部には半径方向外方に突設した接合部が設けてあり、フレーム前面には接合部と嵌合する凹部が設けてあり、接合部を凹部に接着固定していることを特徴とする請求項１〜３のいずれか一項に記載のレンズ駆動装置。
【発明の詳細な説明】
【技術分野】
【０００１】
本発明は、携帯型小型カメラ等に用いられ光軸方向にレンズを駆動するレンズ駆動装置に関する。
【背景技術】
【０００２】
特許文献１には、前側スプリングと後側スプリングとでレンズ支持体をフレームに支持し、コイルの電磁力によりレンズ支持体を光軸方向に移動することが開示されている。このレンズ駆動装置では、レンズ支持体の前面に突設するキャップを設け、キャップで前側スプリングの内周側端部をレンズ支持体に固定している。
【０００３】
そして、特許文献１の技術では、キャップがフレームの前面よりも前方に突出した部分で、レンズ支持体の先端を保護するようにしている。
【０００４】
【特許文献１】特開２００４−２８００３１号公報
【発明の開示】
【発明が解決しようとする課題】
【０００５】
しかし、キャップはレンズ支持体の前面よりも前側に突設しているので、その分レンズ駆動装置全体における光軸方向の寸法が大きくなるという不都合がある。
【０００６】
また、キャップは前側スプリングの内周側端部をレンズ支持体に固定するものであるから、前側スプリングの外周側端や、前側スプリングの内周側端と外周側端との間にある腕部分が露出してしまい外観を損なうという問題がある。
【０００７】
そこで、本発明は、光軸方向の寸法を小さくでき且つ外観が良好なレンズ駆動装置の提供を目的とする。
【課題を解決するための手段】
【０００８】
請求項１に記載の発明は、マグネット及びヨークが固定されたフレームと、フレームの内周側に配置され且つコイルが固定されたレンズ支持体と、フレームに対してレンズ支持体を光軸方向後側に付勢する前側スプリング及び後側スプリングと、カバーとを備え、コイルに通電して生じる電磁力によりレンズ支持体をフレームに対してレンズの光軸方向に移動するレンズ駆動装置であって、前側スプリングは内周側端部をレンズ支持体の前側端部に固定し外周側端部をフレームの前側内周部に固定してあり、コイルへの通電によりレンズ支持体が光軸方向前側に最も移動した位置でレンズ支持体の前側端がフレームの前面と略同じか前面よりも後側に位置しており、カバーは前側スプリングを覆っており、前面をフレームの前面と略面一にして外周部をフレームに接着剤で固定してあることを特徴とする。
【０００９】
請求項２に記載の発明は、請求項１に記載の発明において、前側スプリングの表面には導線を接続した導線接続部が設けてあり、カバーには、レンズ支持体の移動と共に前側スプリングが前側に移動したときに導線接続部との抵触を防止する抵触防止孔が形成されていることを特徴とする。
【００１０】
請求項３に記載の発明は、請求項２に記載の発明において、カバーは金属製であり、前面には樹脂製のシール材が貼着されていることを特徴とする。
【００１１】
請求項４に記載の発明は、請求項１〜３のいずれか一項に記載の発明において、カバーの外周部には半径方向外方に突設した接合部が設けてあり、フレーム前面には接合部と嵌合する凹部が設けてあり、接合部を凹部に接着固定していることを特徴とする。
【発明の効果】
【００１２】
請求項１に記載の発明によれば、コイルに通電してレンズ支持体が光軸方向前側に最も移動した位置でレンズ支持体の前側端がフレームの前面と略同じがフレームの前面よりも後側に位置し、且つカバーは前面をフレームの前面と略面一にしているので、フレーム前面からカバーが前方に突設せず、レンズ駆動装置における光軸方向の寸法を小さくできる。
【００１３】
また、フレームの前面とカバーの前面とが略面一であり、しかもカバーで前側スプリングを隠しているので外観が良い。
【００１４】
レンズ支持体にキャップを接着した場合には接着剤が前側スプリングの腕部（外周側端部と内周側端部との間の部分）に流れてスプリングの機能を損なうおそれがあるが、本発明ではカバーをフレームに接着しているので、接着面を広くとることができ、前側スプリングの腕部側に接着剤が流れるのを防止できると共に接着箇所の自由度が高い。
【００１５】
請求項２に記載の発明によれば、請求項１に記載の作用効果を得ることができるとともに、前側スプリングの前面に導線をはんだや接着剤等により接続する場合に、導線接続部に盛り上がりができ、レンズ支持体が前方に移動したときに導線接続部が前側スプリングの前面を覆うカバーに抵触するおそれがあるが、抵触防止孔が形成されているので、簡易な構成でかかる抵触を防止できる。
【００１６】
請求項３に記載の発明によれば、請求項２に記載の作用効果を得ることができると共に、カバーを金属製としているので、所定の強度を得ながらカバーの厚みを薄くすることができる。また、カバーの前面に樹脂製のシール材を貼着しているので、カバーの金属光沢を隠すと共にカバーの塗装等の仕上げ加工が不要である。更に、シール材でカバーの抵触防止孔を閉じることができるので抵触防止孔から内部が見えず、外観が良い。
【００１７】
請求項４に記載の発明によれば、請求項１〜３のいずれか一項に記載の作用効果を得ることができと共に、カバーの組み付け時にはカバーの接合部をフレーム前面の凹部に嵌合するのでカバーの位置決めが容易にできる。フレームの前面に凹部を形成して接合部を嵌めているので、接合部がフレームの前面より前方に突設するのを防止できる。
【発明を実施するための最良の形態】
【００１８】
以下に、添付図面を参照して本発明の実施の形態を説明する。図１は図４に示すレンズ駆動装置の一部を切り欠いて示すと共にレンズを除いて示す斜視図であり、図２は図１に示すレンズ駆動装置のシール材を除いて示す斜視図であり、図３は図４に示すレンズ駆動装置の分解斜視図であり、図４は本実施の形態にかかるレンズ駆動装置の斜視図である。
【００１９】
本実施の形態にかかるレンズ駆動装置１は、携帯電話に組み込まれるオートフォーカス小型カメラのレンズ駆動装置である。
【００２０】
このレンズ駆動装置１は、略円筒状のヨーク３と、ヨーク３が固定されるフレーム５と、ヨーク３の内周側に配置されるレンズ支持体７と、前側スプリング９と、後側スプリング１１と、ベース２３と、カバー２４とを備えており、フレーム５はベース２３に嵌合してベース２３と共にヨーク３を固定している。
【００２１】
ヨーク３は断面が略コ字形状であり、コ字の内部にマグネット１３が配置され、コ字の内部でマグネット１３の内周側にコイル１５が配置されている。マグネット１３は後方スペーサ１７を介してベース２３に固定されている。コイル１５はレンズ支持体７の外周部７ａに固定されているとともにレンズ支持体７の外周部７ａがヨーク３の内部に入り込んでおり、レンズ支持体７の外周部７ａはヨーク３のコ字隙間を移動するようになっている。
【００２２】
レンズ支持体７は略円筒形状であり、その内部にレンズ２０が収納されており、前側スプリング９及び後側スプリング１１により、ヨーク３の内周側を光軸に沿って移動自在に取り付けられている。
【００２３】
前側スプリング９は略環状の板ばねであり、内周側端部９ａと外周側端部９ｂとが設けてあり、内周側端部９ａはレンズ支持体７の前側端７ｂに固定してあり、外周側端部９ｂはヨーク３とフレーム５との間に挟持され固定してあり、外周側端部９ｂとヨーク３との間には前方スペーサ２１が介在されている。
【００２４】
また、前側スプリング９には、内周側端部９ａと外周側端部９ｂとの間に腕部９ｃが設けてあり、腕部９ｃにより内周側端部９ａを外周側端部９ｂに対して光軸方向に付勢するようになっている。
【００２５】
後側スプリング１１は前側スプリング９と略同一形状であり、略環状の板ばねである。後側スプリング１１の内周側端部１１ａはレンズ支持体７の後端７ａに固定してあり、外周側端部１１ｂはベース２３の基底部２３ｂと後方スペーサ１７との間に固定されており、内周側端部１１ａと外周側端部１１ｂとの間には腕部１１ｃが設けてある。
【００２６】
これらの前側スプリング９と後側スプリング１１とは、組み立て前の自然状態（負荷がかかっていない状態）において平坦であるが、組み付け後には、それぞれ内周側端部９ａ、１１ａが外周側端部９ｂ、１１ｂよりも後方に位置するように変形した状態で取り付けてある。これにより、ばねの復帰力（付勢力）により内周側端部９ａ、１１ａを常時後方（ベース２３側）に向けた付勢力が作用するようになっている。
【００２７】
そして、コイル１５への通電によりレンズ支持体７が光軸方向前側に最も移動した位置でレンズ支持体７の前側端７ｂがフレーム５の前面５ｃと略同じか前面５ａよりも後側に位置するようになっている。
【００２８】
更に、前側スプリング９には前面に導線接続部９ｄが設けてあり、前側スプリング９に接続した導線は、コイル１５又は端子に接続されている。
【００２９】
カバー２４は、金属製であり略環状を成している。カバー２４はフレーム５の前面５ｃに取り付けてあり、フレーム５とレンズ支持体７とに取り付けた前側スプリング９を覆い隠している。
【００３０】
カバー２４には、外周に半径方向が外方に突設した接合部２５が設けてあり、本実施の形態では、接合部２５は略等間隔に３箇所設けている。また、カバー２４には、前側スプリング９の導線接続部９ｃがレンズ支持体７の移動と共に前側に移動したときにカバー２４に抵触するのを防止する抵触防止孔３２が形成されている。
【００３１】
カバー２４の前面２４ａに樹脂製のシール材２８が貼着されており、カバー２４の前面２４ａを樹脂材で覆っていると共に、抵触防止孔３２を塞いでいる。
【００３２】
フレーム５には内周部の前面５ｃにカバー２４の接合部２５が嵌合する凹部３０が設けてあり、凹部３０にカバー２４の接合部２５が嵌合し且つ凹部３０に接合部２５が接着剤で接着されている。
【００３３】
カバー２４の前面２４ａ及びシール材２８の前面は、フレーム５の前面５ｃと略面一になっている。
【００３４】
次に、本発明にかかるレンズ駆動装置１の作用及び効果について説明する。
【００３５】
レンズ駆動装置１において、コイル１５に通電すると、コイル１５に通電して生じる電磁力によりレンズ支持体７はヨーク３に対して光軸方向前方に移動し、レンズの焦点距離調節を行う。
【００３６】
本実施の形態にかかる駆動装置１によれば、コイル１５に通電してレンズ支持体７が光軸方向前側に最も移動した位置でレンズ支持体７の前側端７ｂがフレーム５の前面５ｃと略同じが後側に位置し、且つカバー２４は前面２４ａをフレーム５の前面５ｃと略面一にしているので、フレーム５の前面５ｃからカバー２４が前方に突設せず、レンズ駆動装置１における光軸方向の寸法を小さくでき且つ装置の小型化を図ることができる。
【００３７】
また、フレーム５の前面５ｃとカバー２４の前面２４ａとが略面一であり、しかもカバー２４で前側スプリング９を隠しているので外観が良い。
【００３８】
レンズ支持体７にカバー２４を接着した場合には接着剤が前側スプリング９の腕部９ｃに流れてスプリングの機能を損なうおそれがあるが、本実施の形態ではカバー２４はフレーム５の前面５ｃに接着しているので、接着面を広くとることができ、前側スプリング９の腕部９ｃ側に接着剤が流れることがなく、且つフレーム５の前面５ｃは広くとることができるので接着箇所の自由度が高い。
【００３９】
前側スプリング９の前面に導線をはんだ付けして接続した部分９ｄに盛り上がりができ、レンズ支持体７が前方に移動したときにカバー２４の裏面に接触（抵触）するおそれがあるが、カバー２４には抵触防止孔３２が形成されているので、かかる抵触を防止できると共に、孔を形成するだけなので構成が簡易である。
【００４０】
カバー２４は金属製であるから、所定の強度を得ながらカバー２４の厚みを薄くすることができる。また、カバー２４の前面２４ａに樹脂製のシール材２８を貼着しているので、カバー２４の金属光沢を隠すと共にカバー２４の塗装等の仕上げ加工が不要である。更に、シール材２８でカバー２４の抵触防止孔３２を塞ぐので抵触防止孔３２から前側スプリング９が見えず、外観が良い。
【００４１】
カバー２４をフレーム５に組み付ける時には、カバー２４に設けた接合部２５をフレーム５の前面５ｃに形成した凹部３０に嵌合するのでカバーの位置決めが容易にできる。フレーム５の前面５ｃに凹部３０を形成しているので接合部２５と接着箇所が盛り上がらないようにすることができ、接合部２５が前面５ｃよりも前方に突設するのを防止できる。
【００４２】
特に、本実施の形態では、レンズ支持体７は前側スプリング９と後側スプリング１１とで挟持しており且つレンズ支持体７をベース５側に付勢して、揺れや衝撃等におけるレンズ支持体の移動を押さえているので、衝撃を緩和でき、耐衝撃性に優れる。
【００４３】
本発明は、上述した実施の形態に限らず、本発明の要旨を逸脱しない範囲で種々変形可能である。
【００４４】
例えば、請求項１及び２に記載の発明においては、カバー２４の前面２８ａにはシール材２８を設けなくてもよい。
【図面の簡単な説明】
【００４５】
【図１】図４に示すレンズ駆動装置の一部を切り欠いて示すと共にレンズを除いて示す斜視図である。
【図２】図１に示すレンズ駆動装置のシール材を除いて示す斜視図である。
【図３】図４に示すレンズ駆動装置の分解斜視図である。
【図４】本実施の形態にかかるレンズ駆動装置の斜視図である。
【符号の説明】
【００４６】
１      レンズ駆動装置
３      ヨーク
５      フレーム
５ｃ    前面
７      レンズ支持体
９      前側スプリング
１１    後側スプリング
１３    マグネット
１５    コイル
２４    カバー
２４ａ  前面
２５    接合部
２８    シール材
３０    凹部
３２    抵触防止孔
【図１】
2006323251.tif 000003
【図２】
2006323251.tif 000004
【図３】
2006323251.tif 000005
【図４】
2006323251.tif 000006